(57)【要約】【課題】  装着性が容易であることはもとより、フィット性・横漏れ防止性に優れた羽根式使い捨ておむつを提供する。【解決手段】  使い捨ておむつ本体１は、背部領域７及び股下領域８における表面材２と裏面材３との間の面領域に並設された複数本の弾性部材１０，１０ａが横方向に緊張状態で接合され、背部領域７及び股下領域８ないし腹部領域９の左右側部に、羽根部５ａ，５ｂの下部輪郭線Ｌ１，Ｌ１’から連続して形成される湾曲輪郭線に沿って複数の弾性部材が緊張状態で接合され、上記背部領域７及び股下領域８ないし腹部領域９を結ぶ中央の直線上には吸収体４が接合され、吸収体４の両側部には立体ギャザー２２が付設され、装着時に両脚部周囲が弾力的に押圧され、且つ背部領域７及び股下領域８にパンツ型おむつの装着感が得られるように構成した。【選択図】  図１
2007068654.tif 000002
【特許請求の範囲】
【請求項１】
液透過性の表面材と液不透過性の裏面材３との間に吸収体４を介装した背部領域７、股下領域８及び腹部領域９から成る使い捨ておむつ本体１と、当該使い捨ておむつ本体１の背部領域７の裏面材３の左右側部から横方向に伸展する腰回り巻着用の羽根部５ａ，５ｂとにより構成される羽根式使い捨ておむつであって、上記羽根部５ａ，５ｂの下部輪郭線Ｌ１，Ｌ１’が、上記股下領域８の両側に向かった形状に成され、しかも、上記羽根部５ａ，５ｂには、左右の羽根部５ａ，５ｂを互いに止着する第一止着材１４が、上記使い捨ておむつ本体１の腹部領域９には、腰回りに巻着された羽根部５ａ，５ｂの外側に腹部領域９を止着する第二止着材１６が、それぞれ配設されている羽根式使い捨ておむつに於て、上記使い捨ておむつ本体１は、上記背部領域７及び股下領域８における上記表面材２と裏面材３との間の面領域に並設された複数本の弾性部材１０，１０ａが横方向に緊張状態で接合され、上記背部領域７及び股下領域８ないし上記腹部領域９の左右側部に、上記羽根部５ａ，５ｂの下部輪郭線Ｌ１，Ｌ１’から連続して形成される輪郭線に沿って複数の弾性部材が緊張状態で接合されると共に、上記背部領域７及び股下領域８ないし上記腹部領域９を結ぶ中央の直線上に上記吸収体４が接合され、上記吸収体４の両側部には立体ギャザー２２が付設されて成り、上記羽根式使い捨ておむつの装着時に両脚部周囲が弾力的に押圧され、且つ背部領域７及び股下領域８にパンツ型おむつの装着感が得られるようにしたことを特徴とする羽根式使い捨ておむつ。
【請求項２】
上記使い捨ておむつ本体は、上記背部領域７の一方側下部輪郭線Ｌ１から上記股下領域８を横切って上記背部領域７の他方側下部輪郭線Ｌ１’に至るように配設される第１弾性部材１２と、上記腹部領域９の一方側上部輪郭線Ｌ２から上記股下領域８を横切って上記腹部領域９の他方側上部輪郭線Ｌ２’に至るように配設される第２弾性部材１９とから成り、上記股下領域８を横切る第１弾性部材１２と第２弾性部材１９とが上記吸収体４の略中央部位に所定間隔離間して近接配置されていることを特徴とする請求項１に記載の羽根式使い捨ておむつ。
【請求項３】
上記腹部領域９には、上記表面材２と裏面材３との間の面領域に複数本の弾性部材１５，１５ａが横方向に並設され、緊張状態で接合されていることを特徴とする請求項１または２に記載の羽根式使い捨ておむつ。
【請求項４】
上記羽根部５ａ，５ｂは、上記弾性部材が存在しない非存在領域となっていることを特徴とする請求項１に記載の羽根式使い捨ておむつ。
【発明の詳細な説明】
【技術分野】
【０００１】
本発明は、羽根式使い捨ておむつに係り、更に詳しくは、液透過性の表面材と液不透過性の裏面材との間に吸収体を介装した背部領域、及び股下領域及び腹部領域から成る使い捨ておむつ本体と、当該使い捨ておむつ本体の背部領域の裏面材の左右側部から横方向に伸展する腰回り巻着用の羽根部とにより構成される羽根式使い捨ておむつの改良に関する。
【背景技術】
【０００２】
周知の通り、乳幼児や高齢者、あるいは患者等の排泄物を受け止める為に、使い捨ておむつが使用されている。上記使い捨ておむつとしては、種々のタイプのものが提案され、使用されているものであるが、近来においては、その装着性や性能の面からパンツタイプのものが多く使用されるようになった。
【０００３】
上記パンツタイプの使い捨ておむつとしては、外羽根式使い捨ておむつや内羽根式使い捨ておむつが知られている。ところで、上記外羽根式使い捨ておむつは、背部領域の裏面材の左右側部から横方向に伸展する羽根部を粘着テープ等の止着材によって腹部領域の外側に固定するものであり、一方、内羽根式使い捨ておむつは、背部領域の裏面材の左右側部から横方向に伸展する羽根部を腰回りに巻着した後、粘着テープ等の止着材で固定し、次いで、腰回りに巻着された羽根部の上に腹部領域を重ね合わせ、止着材で固定することによって、羽根部が腹部領域の内側に位置する様に装着されるものである。
【０００４】
ここで、上記外羽根式使い捨ておむつと内羽根式使い捨ておむつの装着の容易さを比較してみると、外羽根式使い捨ておむつは、腰への使い捨ておむつの固定か左右の羽根部の止着材を止め終えて初めて完了するものであり、内羽根式使い捨ておむつは、羽根部を一旦腰に仮固定し、次いで、使い捨ておむつを固定するものであるので、上記内羽根式使い捨ておむつの方が外羽根式使い捨ておむつに比し、その装着が容易であり、さらに、上記内羽根式使い捨ておむつは、使い捨ておむつのセンター合わせが容易、立ったまま装着できる、尿パッドの交換が簡単等の利点を有するものである。
【０００５】
上記内羽根式使い捨ておむつは種々の利点を有してはいるものの、以下に述べる４つの大きな欠点が存在しているものであった。即ち、第１に、内羽根式使い捨ておむつは外羽根式の使い捨ておむつに比べ羽根部の横幅寸法が大きい為、裏面材を羽根部の形状にカットし、羽根部を裏面材の延長として形成しようとした場合、材料の無駄が大きいものがある。
【０００６】
第２に、内羽根式使い捨ておむつの羽根部は、腰回り及び使い捨ておむつ本体の腹部領域を止着する機能を有しており、その装着状態に於ては、左右上下に複雑な応力がかかる為、羽根部の形状によっては羽根部の一部が浮き上がったり、撚れたり、止着材が外れたりするものである。
【０００７】
第３に、内羽根式使い捨ておむつを装着した状態では、羽根部がおむつ全体の腹部領域と肌との間に位置するので、使い捨ておむつ本体の腹部領域の吸収体を羽根部が遮蔽してしまい、その吸収機能を阻害してしまうものである。
【０００８】
第４に、内羽根式使い捨ておむつでは、腰回りの寸法を左右の羽根部の先端のオーバーラップの大きさによって調節し、脚回りの寸法を使い捨ておむつの腹部領域と腰回りに巻着された羽根部とのオーバーラップの大きさによって調節することにより、その装着を行うものであるが、装着者の体型によっては、適度なオーバーラップが得られない場合があり、その場合、内羽根式使い捨ておむつを装着できないものであった。
【０００９】
このような問題を解決したものとして、羽根部をなす羽根シートが背部領域裏面材の貼着領域の縦幅を外側末端の縦幅より広く形成して臀部を広く覆うことで、臀部からの排泄物の漏れを防ぐと共に腹圧の裏面材への伝達を分散するように構成し、さらに、外側末端の縦幅と貼着領域の縦幅との長さの比を０．１５〜０．３５に形成することで腹部に食い込みにくく、過度に腹部を圧迫することがなく、適度な締め付けが行えると同時に羽根部によって遮蔽される使い捨ておむつ本体の腹部領域における吸収体を少なくすることで、その吸収機能が阻害されることのないようにした羽根式使い捨ておむつが提案されている（特許文献１参照）。
【００１０】
【特許文献１】特許第３２１８４９３号公報
【発明の開示】
【発明が解決しようとする課題】
【００１１】
上記の羽根式使い捨ておむつは、羽根部を成す羽根シートへの腹圧や運動に伴う応力集中が少ないので、羽根部の一部が肌から浮き上がったり、撚れたり、粘着テープが外れにくくしたもので、その装着性・フィット性が良好となり、また、その装着時に於いては、左右の羽根シート間、及び羽根シートと腹部領域との間のオーバーラップも調整し易いので、より良好な装着性とフィット性を有する利点を有している。
【００１２】
しかしながら、上記の使い捨ておむつでは、下部輪郭線上の少なくとも１／３が上部輪郭線に向かって湾曲した凹曲線で形成されているものの、上記使い捨ておむつの装着時において、使用者の体格が痩せ型、太り型、大型、小型、性別等による差異によって、下部輪郭線と股下領域における両脚部周囲との間に生ずる隙間から排泄物の横漏れが生ずる問題を有していた。
【００１３】
このような問題を解決したものとして、パンツ型おむつが開発されている。このパンツ型おむつは、横方向に伸縮する複数の弾性部材を並設することで、装着時における背部領域、腹部領域及び股下領域にフィット感が得られ、特に股下領域における両脚部周囲に隙間が生じないため上記のような排泄物の横漏れが防止できるようにしたものである。
【００１４】
しかし、上記パンツ型おむつでは、人体に対し脱着する際には両脚部をこのパンツ型おむつの開口部から出し入れしなければならないため装着に手間が掛かり、特に使用者が介護や看護を必要とする場合に取扱いが困難になる難点を有していた。
【００１５】
本発明は、このような問題点に着目してなされたもので、装着性が容易であることはもとより、フィット性・横漏れ防止性に優れた羽根式使い捨ておむつを提供することを目的とする。
【課題を解決するための手段】
【００１６】
上記目的を解決するために、本発明の請求項１に記載の羽根式使い捨ておむつは、液透過性の表面材と液不透過性の裏面材３との間に吸収体４を介装した背部領域７、股下領域８及び腹部領域９から成る使い捨ておむつ本体１と、当該使い捨ておむつ本体１の背部領域７の裏面材３の左右側部から横方向に伸展する腰回り巻着用の羽根部５ａ，５ｂとにより構成される羽根式使い捨ておむつであって、上記羽根部５ａ，５ｂの下部輪郭線Ｌ１，Ｌ１’が、上記股下領域８の両側に向かった形状に成され、しかも、上記羽根部５ａ，５ｂには、左右の羽根部５ａ，５ｂを互いに止着する第一止着材１４が、上記使い捨ておむつ本体１の腹部領域９には、腰回りに巻着された羽根部５ａ，５ｂの外側に腹部領域９を止着する第二止着材１６が、それぞれ配設されている羽根式使い捨ておむつに於て、上記使い捨ておむつ本体１は、上記背部領域７及び股下領域８における上記表面材２と裏面材３との間の面領域に並設された複数本の弾性部材１０，１０ａが横方向に緊張状態で接合され、上記背部領域７及び股下領域８ないし上記腹部領域９の左右側部に、上記羽根部５ａ，５ｂの下部輪郭線Ｌ１，Ｌ１’から連続して形成される輪郭線に沿って複数の弾性部材が緊張状態で接合されると共に、上記背部領域７及び股下領域８ないし上記腹部領域９を結ぶ中央の直線上に上記吸収体４が接合され、上記吸収体４の両側部には立体ギャザー２２が付設されて成り、上記羽根式使い捨ておむつの装着時に両脚部周囲が弾力的に押圧され、且つ背部領域７及び股下領域８にパンツ型おむつの装着感が得られるようにしたことを特徴とする羽根式使い捨ておむつである。
上記の羽根式使い捨ておむつによれば、背部領域７を人体の背中に当てた状態で左右の羽根部５ａ，５ｂを腰回り巻着して第一止着材１４を介して止着し、股下領域８を股間部から前方の腹部に通したのち、腰回りに巻着された上記羽根部５ａ，５ｂの外側に第二止着材１６を介して腹部領域９を止着することで羽根式使い捨ておむつを装着する。この羽根式使い捨ておむつを装着した状態では、両側部に立体ギャザー２２を付設した上記吸収体４が、背部領域７、股下領域８及び腹部領域９を結ぶ中央の直線上に配置される。そこで、羽根式使い捨ておむつの装着状態では、人体の背部が上記背部領域７に横方向に並設された複数本の弾性部材１０，１０ａにより弾力的に面圧され、しかも両脚部周囲の周囲が下部輪郭線Ｌ１，Ｌ１’から連続して形成される輪郭線に沿って設けられた複数の弾性部材により弾力的に押し付けられ、且つ背部領域７及び股下領域８にパンツ型おむつの装着感が得られる。
【００１７】
請求項２に記載の羽根式使い捨ておむつは、上記背部領域７の一方側下部輪郭線Ｌ１から上記股下領域８を横切って上記背部領域７の他方側下部輪郭線Ｌ１’に至るように配設される第１弾性部材１２と、上記腹部領域９の一方側上部輪郭線Ｌ２から上記股下領域８を横切って上記腹部領域９の他方側上部輪郭線Ｌ２’に至るように配設される第２弾性部材１９とから成り、上記股下領域８を横切る第１弾性部材１２と第２弾性部材１９とが上記吸収体４の略中央部位に所定間隔離間して近接配置されていることを特徴とする羽根式使い捨ておむつである。
上記の羽根式使い捨ておむつによれば、上記背部領域７の一方側下部輪郭線Ｌ１から上記股下領域８を横切って上記背部領域７の他方側下部輪郭線Ｌ１’に至るように配設される第１弾性部材１２と、上記腹部領域９の一方側上部輪郭線Ｌ２から上記股下領域８を横切って上記腹部領域９の他方側上部輪郭線Ｌ２’に至るように配設される第２弾性部材１９によって股下領域８を境にして上記背部領域７と腹部領域９が上記吸収体４の略中央部位で区画され、しかも両脚部周囲は第１弾性部材１２と第２弾性部材１９により弾力的に押し付けられる。
【００１８】
請求項３に記載の羽根式使い捨ておむつは、上記腹部領域９には、上記表面材２と裏面材３との間の面領域に複数本の弾性部材１５，１５ａが横方向に並設され、緊張状態で接合されていることを特徴とする羽根式使い捨ておむつである。
上記の羽根式使い捨ておむつによれば、上記背部領域７を人体の背中に当てた状態で止着したのち、股下領域８を股間から腹部に通して腰回りに巻着した上記羽根部５ａ，５ｂの外側に腹部領域９を止着することで、人体の腹部が上記腹部領域９の横方向に並設された複数本の弾性部材１５，１５ａの張力により弾力的に面圧され、しかも両脚部周囲は、下部輪郭線Ｌ２，Ｌ２’から連続して形成される輪郭線に沿って設けられた複数の弾性部材１９により弾力的に押し付けられる。
【００１９】
請求項４に記載の羽根式使い捨ておむつは、上記羽根部５ａ，５ｂは、上記弾性部材が存在しない非存在領域となっていることを特徴とする羽根式使い捨ておむつである。
上記の羽根式使い捨ておむつによれば、背部領域７を人体の背中に当てた状態で左右の羽根部５ａ，５ｂを腰回り巻着して上記第一止着材１４を介して止着するに際し、弾性部材が非存在領域となる両羽根部５ａ，５ｂを左右に牽引することで収縮状態にある背部領域９のみが伸展し、止着した直後は背部領域９が弾性部材１５，１５ａの復帰弾性力により人体の背部が弾力的に押圧されるようになる。
【発明の効果】
【００２０】
本発明は以下の効果を奏する。
【００２１】
請求項１に記載の発明によれば、羽根式使い捨ておむつを装着した状態では、両側部に立体ギャザーを付設した上記吸収体が、背部領域、股下領域及び腹部領域を結ぶ中央の直線上に配置され、上記背部領域に横方向に並設された複数本の弾性部材の張力が人体の背部および股下部位に弾力的に伝達されるので、パンツ型おむつのようなフィット性のある装着感が得られ、しかも股下部位から両脚部周囲が、下部輪郭線から連続して形成される輪郭線に沿って設けられた複数の弾性部材により弾力的に押し付けられるので、使用者の体格に関係無く排泄時において股下部位や両脚部周囲から排泄物の横漏れを防止することができる。このことは、使用者の体格、体形がいわゆるＬＬサイズ，Ｌサイズ，Ｍサイズ等様々であっても、それらに関係なくフィットして装着できるもので、フリーサイズの使用が可能である。
【００２２】
請求項２に記載の発明によれば、上記第１弾性部材と、第２弾性部材それぞれの張力により、股下領域を境にして上記背部領域と腹部領域を区画することで、排泄された排泄物が尿と大便に区分され、これにより上記排泄物の前後への移動領域が制限されるので使用者の不快感を解消され、しかも股下部位や両脚部周囲からの排泄物の横漏れを防止することができる。
【００２３】
請求項３に記載の発明によれば、人体の腹部が腹部領域の横方向に並設された複数本の弾性部材の張力により弾力的に面圧されるので、上記背部領域及び股下領域の弾性部材の張力と相俟ってパンツ型おむつのようなフィット性のある装着感が得られる。
【００２４】
請求項４に記載の発明によれば、両羽根部が、弾性部材が存在しない非存在領域となっているので、上記両羽根部を止着する際に左右に牽引することで収縮状態にある背部領域のみが伸展し、両羽根部を止着した直後は上記背部領域が弾性部材の復帰弾性力により元の状態に復元するので、人体の背部ないし股下領域の輪郭線に適性な装着感が得られる。
【発明を実施するための最良の形態】
【００２５】
本発明の実施例を以下に説明する。
【実施例１】
【００２６】
以下、本発明の一実施例を図面を参照しつつ説明する。図１（ａ）は本発明の実施例に係る羽根式使い捨ておむつの肌側面を視た展開図であり、（ｂ）は図１（ａ）のＡ−Ａ断面図である。
【００２７】
図１において、本発明の羽根式使い捨ておむつは、液透過性の表面材２と液不透過性の裏面材３との間に吸収体４を介装した使い捨ておむつ本体１と、上記使い捨ておむつ本体１の両側に貼着形成された羽根部５ａ，５ｂより成り、上記使い捨ておむつ本体１は、その装着時に身体の各部に面する領域の違いによって、背部領域７、股下領域８及び腹部領域９とに区分されている。
【００２８】
詳しくは、上記羽根部５ａ，５ｂは、後述する弾性部材が存在しない非存在領域で構成されており、使い捨ておむつ本体１の背部領域７の裏面材３に両側に接合されている。両羽根部５ａ，５ｂの接合は、例えば熱溶着により接合されており、一方の羽根部５ａ端部の内面には、左右の羽根部５ａ，５ｂを互いに止着する第一止着材となる第１マジックテープ（商標名）１４が取り付けられている。
【００２９】
また、上記使い捨ておむつ本体１の腹部領域９の両側には、第二止着材となる第２マジックテープ（商標名）１６が例えば熱溶着によりそれぞれ貼着されており、先に腰回りに巻着された羽根部５ａ，５ｂの外側に止着されるようになっている。尚、上記第１，第２マジックテープ（商標名）には、このおむつの使用直前まではシールが被せられ、不用意に他のものに付かないようになっていて、使用する際シールをはがして使用する。
【００３０】
上記使い捨ておむつ本体１をより詳しく説明すると、背部領域７から腹部領域９を下方に向けて縦方向に配置した使い捨ておむつ本体１の展開図、図１（ａ）において、上記使い捨ておむつ本体１の背部領域７は、表面材２と裏面材３の間に複数本の細い弾性部材１０（一例として弾性糸，ゴム等以下弾性糸と記入する。）が後述する両貼着領域１３の間に挟着された状態で上端から下方に向けて所定間隔毎に略等間隔で配設されており、これら弾性糸１０は横方向に緊張状態で接合されている。
【００３１】
上記背部領域７の上端縁には、上記複数の弾性糸１０から所定間隔離間して弾性糸１０ａが、上記弾性糸１０と同様に表面材２と裏面材３の間に挟着された状態で接合されている。なお、上記表面材２、弾性糸１０及び裏面材３の接合は、ホットメルト，熱溶着，超音波溶着等によって行われるものである。
【００３２】
背部領域７は、この背部領域７の両側に貼着された両羽根部５ａ，５ｂの左右端部の下部から上記背部領域７ないし幅狭の股下領域８の両側に向かって湾曲した下部輪郭線Ｌ１が連続して形成されている。
【００３３】
一方、上記使い捨ておむつ本体１の腹部領域９は、縦方向に展開した状態において、上記背部領域７の両貼着領域１３間の横幅と略同一幅に形成されており、上記背部領域７と同様に表面材２と裏面材３の間には、複数本の細い弾性部材１５（一例として弾性糸，ゴム等以下弾性糸として記入する。）が下端から上方に向けて所定間隔毎に略等間隔で配設され、これら弾性糸１５は、上記背部領域７と同様の手段で横方向に緊張状態で熱溶着により接合されている。
【００３４】
なお、上記弾性糸１０及び１５は、上述したように天然ゴム，発泡ポリウレタン，リボン状ポリウレタンフィルム等のエラスチックで構成することもできる。
【００３５】
上記腹部領域９の下端縁には、上記複数の弾性糸１５から所定間隔離間して弾性糸１５ａが、上記弾性糸１５と同様に表面材２と裏面材３の間に挟着された状態で接合されている。そして、上記腹部領域９は、この左右端部の上縁部から幅狭の股下領域８の両側に向けて湾曲した若しくはテーパー状になっている上部輪郭線Ｌ２，Ｌ２’が連続して形成されている。
【００３６】
また、上記股下領域８には、裏面材３の内側に縦長矩形の吸収体４が縦方向に貼着されており、この吸収体４表面側周縁は表面材２の肌側に形成された縦長矩形の開口２６ａ，２６ｂ内部に覆われている。
【００３７】
すなわち、開口２６ａ，２６ｂは、吸収体４の側部で表面材２にサイド表面材２４を継ぎ接いだものであって、上記サイド表面材２４は、上記開口２６ａ，２６ｂの内側側縁を折り返した袋内部に弾性糸１８ａ，１８ｂを緊張状態で縦方向に挿入接着することにより、表面材２の上で起立する一対の立体キャザー２２を成し（図１（ｂ）参照）、排泄物の横漏れを防止する役目を担うものである。
【００３８】
そして、上記表面材２は、液透過性の材料より成るものであって、柔軟性を有すると同時に肌触りの良い不織布や穴あきフィルム等により構成されるものであり、上記不織布としては、ポリエチレン，ポリプロピレン，ポリエステル，ポリアミド，レーヨン，ポロアクリロニトリル等の単体、あるいは、ポリエチレンフィルムが挙げられる。
【００３９】
また上記裏面材３は、液不透過性の材料より成るものであり、１８〜４５μ程度の厚さの透湿性または非透湿性のポリエチレンフィルムによって構成されるものであり、場合によっては、撥水性の不織布やエラスチックフィルム、あるいは、不織布とフィルムのラミネート等により構成されるものであり、特に、柔軟性を有すると同時に肌触りの良いポリプロピレン系スパンボンドの不織布が好ましいものである。
【００４０】
そして、上記表面材２と裏面材３との間に介装される吸収体４は、綿状パルプと高吸水性ポリマー及びティッシュペーパーより成るものであって、排泄物、特に、尿を吸収保持する役目を担うものであり、上記綿状パルプとしては、坪量が１００〜１０００ｇ／平方メートルの木材パルプのウェブを使用したものやピートモス、パガス、ケナフ、合成パルプ等を使用したものが利用でき、上記高吸水性ポリマーとしては、平均粒径１００〜６００μ、生理食塩水の吸収率３０〜８０ｇ／ｇの架橋されたポリアクリル酸、または、その塩、あるいは、デンプン・アクリレート・グラフト共重合体等が使用でき、場合によっては、繊維状の高吸水性ポリマーを使用しても良いものであり、さらに、上記繊維状の高吸水性ポリマーを使用する場合には、綿状パルプと混合したり、綿状パルプのウェブの間に層状に分布させて使用することも可能である。
【００４１】
上記綿状パルプのウェブの強度を高める為には、上記綿状にパルプのウェブの圧縮加工やエンボス加工、あるいは、樹脂バインダーや熱接着性繊維の添加が考慮されるものであって、それらの処理が接された強度の高い綿状パルプのウェブも本発明の羽根式使い捨ておむつの吸収体４として適しているものであり、その他、使用可能な素材としては、スポンジ状発砲体や親水性合成繊維ウェブ等が考慮されるものである。
【００４２】
さらに、上記使い捨ておむつ本体１の寸法は、大人用のおむつとして使用する場合には、縦方向の長さを６００〜９９０ｍｍ，横方向の長さを３５０〜５５０ｍｍとするのが好ましいものであり、その形状としては、股下領域８の横方向の幅が背部領域７及び腹部領域９のそれに比し、狭い長方形に形成されている。
【００４３】
そして、上記羽根部５ａ，５ｂをより詳しく説明すると、これら羽根部５ａ，５ｂは、使い捨ておむつ本体１の背部領域７の裏面材３の左右側部に貼着され、その左右側部から横方向に延設して成るものであって、上記羽根部５ａ，５ｂは、上記使い捨ておむつ本体１の裏面材３を形成する材料よりも、そのヤング率及び引張り強度が優れているシート状の材料を使用して形成されており、その形状は、上記背部領域７の裏面材３の左右側部における貼着領域１３の縦幅ａが外側末端の縦幅ｂより広く、しかも、上記羽根部５ａ，５ｂの下部輪郭線Ｌ１が湾曲した凹曲線で構成されている。
【００４４】
そして、上述の如く羽根部５ａ，５ｂの貼着領域１３の縦幅ａを外側末端の縦幅ｂよりも広くすることにより、臀部を広範囲にわたり覆うことができ、さらに、上記羽根部５ａ，５ｂの下部輪郭線Ｌ１の少なくとも１／３が、凹曲線（曲率半径２００〜７００ｍｍが好ましい）によって構成されているので、羽根シート６に腹圧や運動に伴う応力集中が生じにくく、かつ、上記羽根部５ａ，５ｂを腰回りに巻着した際の張力を使い捨ておむつ本体１の裏面材３の貼着領域１３に均等に伝達できるものであるので、そのフィット性が良好となるものである。勿論、上記縦幅ａとｂの関係は、上記のａがｂより広い場合の他、ａとｂをほぼ同じ幅にしてもよいし、逆にａをｂより大きくしてもよい。
【００４５】
そして、上記シート状の羽根部５ａ，５ｂを構成する素材としては、適度な強度、弾性、柔軟性を有し、しかも、良好な肌触りを有するシートであれば、特に、限定されるものではないが、プラスチックフィルムと不織布のラミネータからなるものが好ましく、この場合には、不織布側を上記使い捨ておむつ本体１の背部領域７の裏面材３に溶着などにより貼着することによって、上記羽根部５ａ，５ｂを腰回りに巻着した際に不織布が肌に触れるものであるので、違和感がなく、ムレを防止できるものである。
【００４６】
次に、第１弾性糸および第２弾性糸に付き詳述する。
【００４７】
図１（ａ）において、第１弾性糸１２は、上記弾性糸１０の両端部が位置する一方の貼着領域１３下方部位から、上記背部領域７の一方側下部輪郭線Ｌ１に沿って配置されており、上記股下領域８の略中間部位から上記吸収体４を円弧状に横切って上記背部領域７の他方側下部輪郭線Ｌ１’に至り、他方側下部輪郭線Ｌ１’沿って他方側の貼着領域１３下方部位に至るように配設されている。
【００４８】
また、第２弾性糸１９は、上記弾性糸１５の一端が位置する一方の貼着領域１７の上方部位から上記腹部領域９の一方側上部輪郭線Ｌ２に沿って配置されており、上記股下領域８の略中間部位から上記吸収体４を円弧状に横切って上記腹部領域９の他方側下部輪郭線Ｌ２’に至り、他方側下部輪郭線Ｌ２’沿って上記弾性糸１５の他端が位置する他方の貼着領域１７上方部位に至るように配設されている。
【００４９】
これら、第１弾性糸１２および第２弾性糸１９は、上記股下領域８における上記吸収体４の略中央部位に所定間隔離間して近接配置されており、股下領域８を境にして上記背部領域７と腹部領域９とが上記吸収体４の略中央部位で区画され、しかも両脚部周囲が第１弾性糸１２と第２弾性糸弾性糸１９により弾力的に押し付けられるようになっている。
【００５０】
このように構成された羽根式使い捨ておむつによれば、この使い捨ておむつを装着した状態では、両側部に立体ギャザー２２を付設した上記吸収体４が、背部領域７、股下領域８及び腹部領域９を結ぶ中央の直線上に配置され、上記背部領域７に横方向に並設された複数本の弾性糸１０の張力が人体の背部および股下部位に弾力的に伝達されるので、使い捨ておむつ本体１を腰回りに装着した際のフィット性を高めることで、パンツ型おむつのような装着感が得られる。
【００５１】
しかも股下部位から両脚部周囲が、連続する下部輪郭線Ｌ１，Ｌ１’および上部輪郭線Ｌ２，Ｌ２’から股下領域８に設けられた第１，第２弾性糸１２，１９により弾力的に押し付けられるので、使用者の体格に関係無く排泄時において股下部位や両脚部周囲から排泄物の横漏れを防止することができる。
【００５２】
さらに、上記股下領域８を境にして、上記第１弾性糸１２と第２弾性糸１９の張力により上記背部領域７と腹部領域９を区画することで、排泄された排泄物が尿と大便に区分され、これにより股下領域８における上記排泄物の前後への移動領域が制限されるので使用者の不快感を解消され、しかも股下部位や両脚部周囲からの排泄物の横漏れを防止することができる。
【００５３】
なお、上記の実施例では、第１弾性糸１２および第２弾性糸１９が股下領域８の略中間部を横切るように配置したが、これに限らず上記第１弾性糸１２および第２弾性糸１９を両側の下部輪郭線Ｌ１，Ｌ１’ないし上部輪郭線Ｌ２，Ｌ２’に沿って配置することも可能であり、この場合は、吸収体４両側の弾性糸１８ａ，１８ｂと共に両第１弾性糸１２、第２弾性糸１９によって両脚部周囲を弾力的に押圧することができ、排泄物の横漏れを効果的に防止することができる。
【００５４】
次に、羽根式使い捨ておむつを装着する手順に付き図２の（ａ）〜（ｅ）を参照して説明する。
【００５５】
図２（ａ）において、人体の背中に羽根式使い捨ておむつ本体１の背部領域７をあてがった状態で、背中から腰回りに巻回した羽根部５ａ，５ｂを腹部にて第１マジックテープ１４により止着する。
【００５６】
この状態では、股下領域８及び腹部領域９は、図２（ｂ）に示すように人体の背中から下方に垂れ下がった状態となり、この状態において図２（ｃ）に示すように股下部位から腹部領域９を通して腹部側前面に引出し、この腹部領域９を、腹部側前面で止着した上記背部領域７両側の羽根部５ａ，５ｂの外側に第２マジックテープ１６により止着することで図２（ｄ）、（ｅ）に示すように羽根式使い捨ておむつが装着される。これにより、パンツ型おむつのようなフィット性のある装着感を得ることができる。
【図面の簡単な説明】
【００５７】
【図１】（ａ）は本発明の実施例に係る羽根式使い捨ておむつの肌側面を視た展開図であり、（ｂ）は図１（ａ）のＡ−Ａ断面図である。
【図２】（ａ）〜（ｅ）は羽根式使い捨ておむつを装着する手順を示す説明図である。
【符号の説明】
【００５８】
１                  使い捨ておむつ本体
２                  表面材
３                  裏面材
４                  吸収体
５ａ，５ｂ          羽根部
６                  羽根シート
７                  背部領域
８                  股下領域
９                  腹部領域
１０，１０ａ        弾性部材（弾性糸）
１２                第１弾性部材（第１弾性糸）
１３                貼着領域
１４                第１マジックテープ（第一止着材）
１５，１５ａ        弾性部材（弾性糸）
１６                第２マジックテープ（第二止着材）
１７                貼着領域
１８ａ，１８ｂ      弾性部材（弾性糸）
１９                第２弾性部材（第２弾性糸）
２２                立体キャザー
２４                サイド表面材
２６ａ，２６ｂ      開口
Ｌ１，Ｌ１’        下部輪郭線
Ｌ２，Ｌ２’        上部輪郭線
【図１】
2007068654.tif 000003
【図２】
2007068654.tif 000004